(57)【要約】【課題】装置全体の小型化に貢献しつつ液体収容体の着脱作業を容易にできる記録装置を提供する。【解決手段】記録装置１２は、インクを用紙Ｐに吐出して記録を行う記録ヘッド３３と、記録ヘッドに供給するインクを収容可能な液体収容体３１が着脱可能に装着される装着部３２と、記録ヘッド及び装着部が内部に設けられる筐体１５と、を備え、筐体は、装着部に対する液体収容体の着脱方向である上下方向（第１方向）と交差する前後方向（第２方向）を厚み方向とする壁部であって且つその一面である内面４５ａが装着部と隣り合う位置で上下方向に沿うように立設された前側壁４１を有し、前側壁には、その先端面４３と内面とに亘って開口する凹部４５が先端面から上下方向に沿うように切り欠き形成されている。【選択図】図５
2017114093.tif 000002
【特許請求の範囲】
【請求項１】
液体を媒体に吐出して記録を行う記録部と、
前記記録部に供給する液体を収容可能な液体収容体が着脱可能に装着される装着部と、
前記記録部及び前記装着部が内部に設けられる筐体と、
を備え、
前記筐体は、前記装着部に対する前記液体収容体の着脱方向である第１方向と交差する第２方向を厚み方向とする壁部であって且つその一面が前記装着部と隣り合う位置で前記第１方向に沿うように立設された壁部を有し、
前記壁部には、その先端面と前記一面とに亘って開口する凹部が前記先端面から前記第１方向に沿うように切り欠き形成されていることを特徴とする記録装置。
【請求項２】
前記壁部は、前記筐体の外面の一部を構成する側壁であり、その側壁における前記一面とは反対側には、前記記録装置の操作部を保持していることを特徴とする請求項１に記載の記録装置。
【請求項３】
前記壁部における前記凹部以外の部分の内部には、前記操作部に繋がるケーブルを配線可能とする空間部が形成されていることを特徴とする請求項２に記載の記録装置。
【請求項４】
前記凹部における前記第１方向に沿う内面であって且つ前記装着部に装着された状態にある前記液体収容体の外面と前記第２方向で対向する内面は、前記第１方向において前記壁部の前記先端面に近い側の部分の方が前記先端面から遠い側の部分よりも前記第２方向において前記装着部から離れて位置するように傾斜した斜面であることを特徴とする請求項１〜請求項３のうち何れか一項に記載の記録装置。
【請求項５】
前記操作部における前記壁部側の面は、前記第１方向において前記壁部の前記先端面に近い側の部分の方が前記先端面から遠い側の部分よりも前記第２方向において前記装着部から離れて位置するように傾斜しており、前記壁部の前記凹部における前記第１方向に沿う内面であって且つ前記装着部に装着された状態にある前記液体収容体の外面と前記第２方向で対向する内面は、前記操作部における前記壁部側の傾斜した面に沿うように配置された斜板で構成されていることを特徴とする請求項２又は請求項３に記載の記録装置。
【請求項６】
前記筐体は、前記装着部に着脱される前記液体収容体の通過を許容する開口部を有し、前記開口部は、前記壁部の先端面で一部を支持された状態において前記開口部を閉塞する閉塞位置と前記先端面から離れた状態で前記開口部を開放する開放位置との間を変位可能な開閉体が前記開放位置に変位することによって、外部に露出することを特徴とする請求項１〜請求項５のうち何れか一項に記載の記録装置。
【発明の詳細な説明】
【技術分野】
【０００１】
本発明は、例えばインクジェット式プリンターなどの記録装置に関する。
【背景技術】
【０００２】
従来から、液体の一例であるインクを媒体に吐出して記録を行う記録ヘッドと、その記録ヘッドに供給するインクを収容可能な液体収容体が着脱可能に装着される装着部と、を筐体内に備えた記録装置が知られている。そして、その筐体内には、ユーザーによる液体収容体の着脱作業時にその液体収容体を把持したユーザーの指先を挿入可能なスペースが装着部の周りに確保されている。例えば、装着部が筐体の外装の一部を構成する側壁の直ぐ内側に設けられている場合には、装着部に装着された液体収容体の外面と筐体の側壁の内面との間に、ユーザーの指先を挿入可能とするスペースが確保される（例えば特許文献１）。
【先行技術文献】
【特許文献】
【０００３】
【特許文献１】特開２０１４−２８５００号公報
【発明の概要】
【発明が解決しようとする課題】
【０００４】
ところで、連続して大量に記録を行うために、液体収容体の容量を増加させると、液体収容体のサイズが大型化し、その大型化した液体収容体が筐体の側壁の内面との間に確保されていたスペースを侵食してしまう。そのため、装着部に対して大型化した液体収容体を着脱するときにもユーザーの指先を挿入可能とするスペースを装着部の周りに確保するには、液体収容体のサイズの大型化に対応して筐体の側壁の位置を外方へ位置ずれさせる必要があり、その分だけ、装置全体の小型化に貢献できなくなるという問題があった。
【０００５】
本発明は、こうした実情に鑑みてなされたものであり、その目的は、装置全体の小型化に貢献しつつ液体収容体の着脱作業を容易にできる記録装置を提供することにある。
【課題を解決するための手段】
【０００６】
以下、上記課題を解決するための手段及びその作用効果について記載する。
上記課題を解決する記録装置は、液体を媒体に吐出して記録を行う記録部と、前記記録部に供給する液体を収容可能な液体収容体が着脱可能に装着される装着部と、前記記録部及び前記装着部が内部に設けられる筐体と、を備え、前記筐体は、前記装着部に対する前記液体収容体の着脱方向である第１方向と交差する第２方向を厚み方向とする壁部であって且つその一面が前記装着部と隣り合う位置で前記第１方向に沿うように立設された壁部を有し、前記壁部には、その先端面と前記一面とに亘って開口する凹部が前記先端面から前記第１方向に沿うように切り欠き形成されている。
【０００７】
この構成によれば、ユーザーによる液体収容体の着脱作業が行われるときに、その液体収容体を把持したユーザーの指先は、装着部と隣り合う位置に一面が存在する壁部に形成されている凹部内に着脱方向である第１方向に沿って挿入可能とされる。すなわち、壁部の一面と装着部に装着された液体収容体の外面との間に指先挿入用のスペースを特に壁部を外側に位置ずれさせて確保しなくても、壁部の厚み内に切り欠き形成された凹部が指先挿入用のスペースとして機能する。そのため、そのようなスペースを更に設けて装置全体を大型化させることもない。したがって、装置全体の小型化に貢献しつつ液体収容体の着脱作業を容易にできる。
【０００８】
また、上記記録装置において、前記壁部は、前記筐体の外面の一部を構成する側壁であり、その側壁における前記一面とは反対側には、前記記録装置の操作部を保持していることが好ましい。
【０００９】
装着部と隣り合う位置に立設された壁部の厚みが薄い場合には、その厚み内に指先挿入用の凹部を形成することが困難になる。この点、上記構成によれば、壁部は操作部を保持可能とする剛性を確保するためにも一定以上の厚みを有していると考えられるため、その厚み内に指先挿入用の凹部を容易に形成できる。
【００１０】
また、上記記録装置において、前記壁部における前記凹部以外の部分の内部には、前記操作部に繋がるケーブルを配線可能とする空間部が形成されていることが好ましい。
この構成によれば、操作部に繋がるケーブルを筐体内の他部材と干渉させることなく、壁部内の空間部を用いて配線することができる。
【００１１】
また、上記記録装置において、前記凹部における前記第１方向に沿う内面であって且つ前記装着部に装着された状態にある前記液体収容体の外面と前記第２方向で対向する内面は、前記第１方向において前記壁部の前記先端面に近い側の部分の方が前記先端面から遠い側の部分よりも前記第２方向において前記装着部から離れて位置するように傾斜した斜面であることが好ましい。
【００１２】
この構成によれば、凹部における第１方向に沿う内面であって且つ装着部に装着された状態にある液体収容体の外面と第２方向で対向する内面は、その凹部における壁部の先端面に近い側の開口が広く確保される斜面であるので、その斜面に沿って液体収容体の着脱作業時に指先を挿入し易くできる。
【００１３】
また、上記記録装置において、前記操作部における前記壁部側の面は、前記第１方向において前記壁部の前記先端面に近い側の部分の方が前記先端面から遠い側の部分よりも前記第２方向において前記装着部から離れて位置するように傾斜しており、前記壁部の前記凹部における前記第１方向に沿う内面であって且つ前記装着部に装着された状態にある前記液体収容体の外面と前記第２方向で対向する内面は、前記操作部における前記壁部側の傾斜した面に沿うように配置された斜板で構成されていることが好ましい。
【００１４】
この構成によれば、装着部に対する液体収容体の着脱時に指先を挿入し易くする凹部を操作部における傾斜した壁部側の面に沿う斜板を利用して容易に形成できる。
また、上記記録装置において、前記筐体は、前記装着部に着脱される前記液体収容体の通過を許容する開口部を有し、前記開口部は、前記壁部の先端面で一部を支持された状態において前記開口部を閉塞する閉塞位置と前記先端面から離れた状態で前記開口部を開放する開放位置との間を変位可能な開閉体が前記開放位置に変位することによって、外部に露出することが好ましい。
【００１５】
この構成によれば、閉塞位置に変位した開閉体の一部を壁部の先端面により支持できるとともに、その開閉体を開放位置に変位させることにより、開口部を露出させて装着部に対する液体収容体の着脱作業を容易に行うことができる。
【図面の簡単な説明】
【００１６】
【図１】記録装置を含む複合機の斜視図。
【図２】画像読取装置が開放位置に位置した状態の複合機の斜視図。
【図３】記録装置上から画像読取装置を取り外した状態を俯瞰した斜視図。
【図４】図３における４−４線で切断した記録装置の平断面図。
【図５】図４における５−５線矢視断面図。
【図６】変形例の記録装置の部分断面図。
【発明を実施するための形態】
【００１７】
以下、記録装置の一実施形態を含む複合機について図面を参照して説明する。なお、本実施形態の記録装置は、例えば液体の一例であるインクを媒体の一例である用紙に噴射することにより記録を行うインクジェット式のプリンターで構成されている。また、そのプリンターは、記録方式が用紙の搬送方向と交差する主走査方向に記録部として機能する記録ヘッドを移動させて印刷を行う、所謂シリアル方式のプリンターである。そして以下では、用紙の搬送方向に沿う方向を「前後方向」、記録部が記録時に移動する主走査方向を「左右方向」、そして重力方向に沿う鉛直方向を「上下方向」とも称して説明する。
【００１８】
図１に示すように、複合機１１は、記録機能を有する記録装置１２と、画像読取機能を有する画像読取装置１３と、画像読取装置１３に対する自動給紙機能を有する自動給紙装置１４とを備えている。記録装置１２は、直方体状の筐体１５を有し、その筐体１５の上に画像読取装置１３が配置され、画像読取装置１３の上に自動給紙装置１４が配置されている。記録装置１２の筐体１５と画像読取装置１３、及び、画像読取装置１３と自動給紙装置１４とは、上方から平面視した場合の形状がほぼ一致している。
【００１９】
記録装置１２における筐体１５の前面上部で左右方向のほぼ中央となる位置には、複合機１１における各種動作を操作するための操作部１６が設けられている。操作部１６は、例えば電源ボタン１７やタッチパネル方式の液晶表示画面１８等を有し、手前側となる前面側から正面視した場合に横長の矩形状となる形状をしている。因みに、操作部１６は、その前面が筐体１５の前面に沿って略垂直状態となる閉じ位置（図１及び図５参照）と、その前面が前方斜め上方を向く傾いた状態となる開き位置（図５に二点鎖線で示す位置）との間での回動変位が可能に筐体１５に支持されている。
【００２０】
また、記録装置１２における筐体１５の前面側において操作部１６の下側となる位置には、記録装置１２の筐体１５内で記録された用紙Ｐを前方側に排出する矩形の排出口１９が開口している。排出口１９の下からは、排出口１９から排出される用紙Ｐを支持する排出トレイ２０が排出方向である前後方向にスライド移動可能に設けられている。そして、筐体１５の前面における排出トレイ２０の下側にはカセット装着部２１が設けられ、そのカセット装着部２１には、印刷に用いる複数枚の用紙Ｐを積層状態で収容可能な上段給紙カセット２２と下段給紙カセット２３が各々前後方向への挿抜自在に装着されている。
【００２１】
図２に示すように、記録装置１２における筐体１５の上部は、矩形状のプレート２４で覆われ、そのプレート２４の前端側には、記録装置１２内の一部を露出させる左右方向に長い矩形状の開口部２５が形成されている。また、記録装置１２における筐体１５の上部において、操作部１６が設けられた前端側とは反対の後端側には、左右一対のヒンジ機構部２６が設けられ、このヒンジ機構部２６を介して画像読取装置１３が記録装置１２上に取り付けられている。
【００２２】
すなわち、画像読取装置１３は、記録装置１２の上部に対してヒンジ機構部２６により開閉動作可能に取り付けられた開閉体であり、記録装置１２上に重ねられて開口部２５を閉塞する閉塞位置（図１の状態）と、記録装置１２上で傾いた状態となって開口部２５を開放する開放位置（図２の状態）との間で変位可能とされている。また、記録装置１２における筐体１５の上部を覆うプレート２４の後端側には、左右方向に延びる所定幅の凹溝２７が形成されている。そして、この凹溝２７内には、画像読取装置１３が閉塞位置に位置したときに、その画像読取装置１３内に設けられたスキャナーモーター（図示略）の移動経路を覆うように画像読取装置１３の下面に膨出形成された凸条部２８が嵌り込む。
【００２３】
図３及び図４に示すように、プレート２４の開口部２５を介して露出する記録装置１２の筐体１５内には、平面視矩形状をなすキャリッジ３０が主走査方向となる左右方向への往復移動可能に配置されている。キャリッジ３０上には、インク等の液体を収容した複数（本実施形態では４つ）の液体収容体３１が着脱可能に装着される装着部３２が設けられるとともに、そのキャリッジ３０の下面側には液体収容体３１から供給されるインク等の液体を用紙Ｐに吐出して記録を行う記録部の一例である記録ヘッド３３が取り付けられている。
【００２４】
図４に示すように、筐体１５内においてキャリッジ３０の移動に伴う記録ヘッド３３の移動領域の下方となる位置には、記録が行われる用紙Ｐを支持可能な支持部材３４が配置されている。また、記録ヘッド３３の移動領域の下方となる位置で支持部材３４の配置位置から記録ヘッド３３の移動方向においてホームポジション側（図４では右側）に外れた位置には、ホームポジションに移動した記録ヘッド３３に下方から上昇してキャッピング可能なキャップ３５が設けられている。
【００２５】
本実施形態において、キャリッジ３０上の装着部３２に装着されている液体収容体３１は、キャリッジ３０がその移動範囲内における所定の着脱交換位置（すなわち、図３及び図４に示す位置）ＣＰに停止した状態において行われる。この着脱交換位置ＣＰは、図４に示すように、キャップ３５が記録ヘッド３３をキャッピング可能とされる位置とは異なる。その理由は、キャップ３５で記録ヘッド３３をキャッピングしている状態において、装着部３２から液体収容体３１を取り外すと、それまで密閉状態にあった記録ヘッド３３に対する連通路が大気開放されてしまい、記録ヘッド３３内に気泡を混入させてしまう虞があるからである。
【００２６】
また、図５に示すように、着脱交換位置ＣＰに停止したキャリッジ３０上の装着部３２に対して液体収容体３１を着脱するときには、その液体収容体３１がユーザーにより把持され、上下方向を着脱方向（第１方向）として着脱作業が行われる。そのため、図３〜図５に示すように、プレート２４の開口部２５の口縁においてキャリッジ３０の移動方向で着脱交換位置ＣＰと対応する縁部分には、液体収容体３１を把持するユーザーの指先（例えば、中指の指先）Ｆの挿入を可能とする切欠凹部３６が形成されている。
【００２７】
なお、筐体１５内において支持部材３４よりも上方でキャリッジ３０の移動領域よりも後側となる位置には、キャリッジ３０をスライド移動自在に支持可能なレール部材３７が左右方向に沿って延びるように設けられ、そのレール部材３７に対してキャリッジ３０の後面側に設けられた掛止部３８が摺動自在に掛止されている。また、用紙Ｐの搬送方向となる前後方向で支持部材３４を挟む前後各位置には、用紙Ｐを表裏両側から挟持して搬送する搬送ローラー対３９，４０が設けられている。
【００２８】
また、図５に示すように、筐体１５の外面の一部である前面を構成する前側壁４１は、液体収容体３１の着脱方向である第１方向（ここでは上下方向）と直交（交差）する第２方向（ここでは前後方向）を厚さ方向とする壁部を構成している。すなわち、筐体１５の前側壁４１は、その一面である内側面４２がキャリッジ３０上の装着部３２と前後方向において隣り合う位置で、第１方向（上下方向）に沿って延びるように立設されている。また、この前側壁４１の上端面である先端面４３は、その一部である厚さ方向の中途よりも内側部分が外側部分よりも少し低い段差面４４として凹設され、この段差面４４において画像読取装置１３の前端縁部を支持している。
【００２９】
そして、その前側壁４１において着脱交換位置ＣＰと第２方向（前後方向）で隣り合う箇所には、前側壁４１における先端面４３（より具体的には、段差面４４）と内側面４２とに亘って開口する凹部４５が先端面４３（段差面４４）から第１方向（上下方向）に沿うように切り欠き形成されている。なお、この凹部４５は、図５に示すように液体収容体３１を着脱交換する際に、その液体収容体３１を把持したユーザーの指先（例えば、親指の指先）Ｆの挿入を可能とする。そして、前側壁４１の一面である内側面４２とは反対側の外側面（すなわち、前面）に、前述した操作部１６は、その上部に設けられた軸４６を支点として回動変位可能に保持されている。
【００３０】
図４及び図５に示すように、操作部１６における液晶表示画面１８の裏面側には、表示装置４７とその表示装置４７の回路基板４８が収納され、その回路基板４８からは信号線の一種であるフレキシブルフラットケーブル（以下、「ケーブル４９」という。）が引き回されている。操作部１６の後側壁の上部、及び、筐体１５の前側壁４１において操作部１６の後側壁と対向する壁部分の上部には、図４に示すように、ケーブル４９を挿通可能とする孔５０ａ，５０ｂが各々形成され、ケーブル４９は、それらの孔５０ａ，５０ｂを通って操作部１６の内部から前側壁４１の内部に引き回されている。
【００３１】
すなわち、前側壁４１における凹部４５以外の部分の内部には、操作部１６内の回路基板４８に始端となる一端が繋がるケーブル４９を配線可能とする空間部５１が形成され、この空間部５１内にケーブル４９は配線されている。そして、ケーブル４９は、筐体１５の側部（図４では左側の側壁の直ぐ内側）に配置された本体側メイン基板５２に向けて、前側壁４１における凹部４５以外の部分に形成された空間部５１内で適宜に折り曲げられながら配線され、その終端となる他端が本体側メイン基板５２に接続されている。
【００３２】
次に、上記のように構成された記録装置１２の作用について液体収容体３１を着脱交換する際の作用に着目して説明する。
さて、キャリッジ３０上の装着部３２に装着されている液体収容体３１を着脱交換する際には、図５に示すように、その液体収容体３１の上部の二箇所（図５の場合は、前端の上部と後端の上部）がユーザーにより把持される。通常、ユーザーは記録装置１２の前面側に位置した状態で液体収容体３１の着脱作業を行うとき、その液体収容体３１の前端の上部に親指の指先Ｆを添えると共に後端の上部に中指の指先Ｆを添えて液体収容体３１を把持する。
【００３３】
このとき、ユーザーの中指の指先Ｆは、筐体１５の開口部２５において着脱交換位置ＣＰの後側に設けられた切欠凹部３６内に上方から挿入される。その一方、ユーザーの親指の指先Ｆは、筐体１５の開口部２５に連続して開口する前側壁４１の凹部４５内に上方から挿入され、液体収容体３１の前端の上部に添えられる。すなわち、ユーザーの親指の指先Ｆは、前側壁４１の凹部４５を指先挿入用のスペースとして、その凹部４５における上下方向（第１方向）に沿う内面であって且つ装着部３２に装着された状態にある液体収容体３１の外面と前後方向（第２方向）で対向する内面４５ａに沿うように凹部４５内に挿入される。そして、その親指の指先Ｆと中指の指先Ｆとで液体収容体３１が把持され、装着部３２から取り外されると共に、新たな液体収容体３１が装着部３２に装着される。
【００３４】
この場合において、前側壁４１に凹部４５が形成されていない場合には、指先挿入用のスペースを装着部３２の前方に確保するために、前側壁４１を指先挿入用のスペース分に相当する距離だけ前方（つまり、筐体１５の外側）へ位置ずれさせる必要があり、その分だけ装置全体が大型化する。この点、本実施形態の場合は、前側壁４１に形成された凹部４５が指先挿入用スペースとして機能するため、前側壁４１を前方に位置ずれさせる必要もなく、装置全体を大型化させることもない。
【００３５】
上記実施形態によれば、以下のような効果を得ることができる。
（１）前側壁４１の内側面４２と装着部３２に装着された液体収容体３１の外面との間に指先挿入用のスペースを特に前側壁４１を外側に位置ずれさせて確保しなくても、前側壁４１の厚み内に切り欠き形成された凹部４５が指先挿入用のスペースとして機能するため、そのようなスペースを更に設けて装置全体を大型化させることもない。したがって、記録装置１２の小型化に貢献しつつ液体収容体３１の着脱作業を容易にできる。
【００３６】
（２）装着部３２と前後方向で隣り合う位置に立設された前側壁４１は、その前面側に操作部１６を保持可能とする剛性を確保するためにも一定以上の厚みを有しているため、その厚み内に指先挿入用の凹部４５を容易に形成できる。
【００３７】
（３）操作部１６に繋がるケーブル４９を筐体１５内の他部材と干渉させることなく、前側壁４１内の空間部５１を用いて配線することができる。
（４）閉塞位置に変位した開閉体としての画像読取装置１３の前端縁部を前側壁４１の先端面４３（及びその段差面４４）により支持できるとともに、その画像読取装置１３を開放位置に変位させることにより、液体収容体３１の通過を許容する開口部２５を露出させて装着部３２に対する液体収容体３１の着脱作業を容易に行うことができる。
【００３８】
なお、上記実施形態は以下のように変更してもよい。
・図６に示すように、筐体１５の前側壁４１に切り欠き形成された凹部４５の前後方向（第２方向）で装着部３２の液体収容体３１の外面と対向する内面４５ａは、上下方向において前側壁４１の先端面４３に近い側の部分の方が先端面４３から遠い側の部分よりも前後方向において装着部３２から離れて位置するように傾斜した斜面であってもよい。
【００３９】
この構成によれば、その凹部４５における前側壁４１の先端面４３に近い側の開口が、凹部４５の上下方向に沿う内面４５ａを斜面にしたことで広く確保されるので、その斜面に沿って液体収容体３１の着脱作業時に指先を挿入し易くできる。
【００４０】
・また、この場合において、操作部１６における前側壁４１側の面１６ａは、上下方向（第１方向）において前側壁４１の先端面４３に近い側の部分の方が先端面４３から遠い側の部分よりも前後方向（第２方向）において装着部３２から離れて位置するように傾斜していてもよい。そして、前側壁４１の凹部４５における装着部３２に装着された液体収容体３１の外面と前後方向（第２方向）で対向する内面４５ａは、操作部１６の傾斜した面１６ａに沿うように配置された斜板６０で構成されていてもよい。
【００４１】
この構成によれば、装着部３２に対する液体収容体３１の着脱時に指先Ｆを挿入し易くする凹部４５を操作部１６における傾斜した前側壁４１側の面１６ａに沿う斜板６０を利用して容易に形成できる。
【００４２】
・着脱交換される液体収容体３１が通過する開口部２５は画像読取装置１３が開閉体として開放位置に変位したときに露出する構成に限らず、その開口部２５の開閉専用に設けられた蓋部材が閉塞位置から開放位置に変位することで露出するようにしてもよい。
【００４３】
・筐体１５の前側壁４１の前面側に保持される操作部１６は、例えば図５に示すような閉じ位置において、その前面の下端が上端よりも後方に位置する傾斜した保持状態である場合に限らず、その前面が鉛直方向に沿うように保持されていてもよい。
【００４４】
・筐体１５の前側壁４１に切り欠き形成された凹部４５の前後方向（第２方向）で装着部３２の液体収容体３１の外面と対向する内面４５ａは、図５に示す実施形態においても図６に示す変形例のように斜面であってもよい。
【００４５】
・筐体１５の前側壁４１内にケーブル４９を配線可能な空間部５１はなくてもよい。
・操作部１６は、筐体１５の前側壁４１に限らず、左右側壁や上壁など他の壁部により保持される構成であってもよい。
【００４６】
・凹部４５が切り欠き形成される前側壁４１は、その前面側に操作部１６を保持しない場合、操作部１６以外の他の部材構成（例えば廃液タンクの着脱交換口の開閉蓋など）を保持する構成として、その剛性確保のために所定の厚みを有するようにしてもよい。
【００４７】
・指先挿入用スペースとして機能する凹部４５は、装着部３２が筐体１５の前側壁４１から離れた位置にある場合には、前側壁４１にではなく、筐体１５内において装着部３２と隣り合う位置に立設された所定の厚みを有する壁部（例えば区画壁）に切り欠き形成してもよい。
【００４８】
・上記実施形態において、記録装置は、インク以外の他の流体（液体や、機能材料の粒子が液体に分散又は混合されてなる液状体、ゲルのような流状体、流体として流して噴射できる固体を含む）を噴射したり吐出したりして記録を行う記録装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う記録装置であってもよい。また、ゲル（例えば物理ゲル）などの流状体を噴射して記録を行う記録装置、トナーなどの粉体（粉粒体）を例とする固体を噴射して記録を行う記録装置（例えばトナージェット式記録装置）であってもよい。そして、これらのうちいずれか一種の記録装置に本発明を適用することができる。なお、本明細書において「流体」とは、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【００４９】
１２…記録装置、１５…筐体、１６…操作部、１８…液晶表示画面、１９…排出口、２０…排出トレイ、２１…カセット装着部、２２…上段給紙カセット、２３…下段給紙カセット、２４…プレート、２５…開口部、３０…キャリッジ、３１…液体収容体、３２…装着部、３３…記録ヘッド（記録部）、３４…支持部材、３６…切欠凹部、３７…レール部材、３８…掛止部、３９，４０…搬送ローラー対、４１…前側壁（壁部）、４２…内側面（一面）、４３…先端面、４４…段差面、４５…凹部、４６…軸部、４７…表示装置、４８…回路基板、４９…ケーブル、５０…孔、５１…空間部、ＣＰ…着脱交換位置、Ｆ…指先、Ｐ…用紙（媒体）。
【図１】
2017114093.tif 000003
【図２】
2017114093.tif 000004
【図３】
2017114093.tif 000005
【図４】
2017114093.tif 000006
【図５】
2017114093.tif 000007
【図６】
2017114093.tif 000008